【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
対象の眼に準弾性光散乱法を実行するためのシステムであり、前記システムが、
前記対象の眼に向かって光を伝達するように設定された光源と、
前記光源から送られて前記対象の眼により散乱された光を、収束するように設定されたレンズと、
前記収束光の少なくとも一部を受け取るように設けられ、前記受け取った光の第一部分を反射するように設定された測定反射器と、
前記受け取った光の前記第一部分を受け取るように設定されて設けられ、前記受け取った光の前記第一部分に対応する像の徴候を提供するように設定されたカメラと、
前記カメラに連結され、前記像の光強度を分析して、前記眼の一部の界面に対応する基準点の場所を決定するように設定されたプロセッサ
を含む、システム。
【請求項２】
前記基準点が、前記眼の水晶体嚢の界面に対応する、請求項１に記載のシステム。
【請求項３】
前記基準点が、前記眼の前記水晶体嚢と前眼房との間の界面に対応する、請求項２に記載のシステム。
【請求項４】
前記基準点が、前記眼の水晶体後嚢の界面、空気と角膜の界面、角膜と房水の界面、および網膜の界面のうちの一つに対応する、請求項１に記載のシステム。
【請求項５】
前記光源およびプロセッサが、蛍光リガンド走査法を実行するように設定される、請求項１に記載のシステム。
【請求項６】
前記対象の眼に入る前記光の経路に対してほぼ９０度でのみ散乱された光が収集および分析されるように設定される、請求項１に記載のシステム。
【請求項７】
前記光源が、赤外光を伝達するように設定される、請求項１に記載のシステム。
【請求項８】
請求項７に記載のシステムであって、前記測定反射器が、前記受け取った光の前記第一部分を反射するように設定されたミラーを含み、前記ミラーが、前記受け取った光の第二部分が前記ミラーによって反射されずに通れるように設定された開口部を画定し、前記システムが、前記受け取った光の前記第二部分を受け取り、測定された散乱光強度を経時的に相関させるために、前記反射器に連結された相関器をさらに含む、システム。
【請求項９】
前記受け取った光の前記第二部分が、前記基準点に対して前記眼の選択された部分から散乱された光に対応するように、前記プロセッサが前記測定反射器を作動させるように設定され、前記プロセッサが前記相関器に連結され、前記受け取った光の前記第二部分の徴候を分析するように設定される、請求項８に記載のシステム。
【請求項１０】
前記プロセッサが、前記受け取った光の前記第二部分の前記徴候と、前記受け取った光の前記第二部分を散乱した前記眼の場所とに基づいて、前記対象の医学的状態に関連した物質の存在の指示を提供するように設定される、請求項９に記載のシステム。
【請求項１１】
前記プロセッサが、前記像の光強度を分析して、前記基準点に対する前記眼の領域の場所を決定するように設定される、請求項１に記載のシステム。
【請求項１２】
前記プロセッサが、前記像の前記光強度を、前記光強度を伴う前記光を散乱した領域に結び付けるように設定される、請求項１１に記載のシステム。
【請求項１３】
前記プロセッサが、前記眼の核上、核、および皮質の場所を決定するように設定される、請求項１１に記載のシステム。
【請求項１４】
前記プロセッサに連結されたディスプレイをさらに含み、前記プロセッサが、前記プロセッサに前記像の中に楕円を表示させるように設定される、請求項１に記載のシステム。
【請求項１５】
前記プロセッサが、前記像に対して前記楕円の大きさおよび位置を調節するように設定される、請求項１４に記載のシステム。
【請求項１６】
前記プロセッサが、前記像の光強度を分析して、前記眼の虹彩の場所を決定し、前記像の前記虹彩の上に、前記楕円の大きさを決定して配置するように設定される、請求項１５に記載のシステム。
【請求項１７】
前記プロセッサが、前記システムのユーザーからの入力に応じて、前記楕円の前記大きさを調節するように設定される、請求項１５に記載のシステム。
【請求項１８】
前記光源が、ペンシルビーム光および扇状ビーム光を伝達するように設定される、請求項１に記載のシステム。
【請求項１９】
光散乱診断のためのシステムであり、
対象の眼にペンシルビーム光を伝達するための手段と、
前記対象の眼により散乱された前記ペンシルビームからの光を得るための手段と、
前記得られた散乱光を分析して、前記眼の一部の界面に対応する基準点の場所を決定するための手段
を含む、システム。
【請求項２０】
前記分析のための手段が、前記眼の水晶体嚢の界面に対応する点として前記基準点を決定するための手段を含む、請求項１９に記載のシステム。
【請求項２１】
前記分析して前記基準点を決定するための手段が、眼により散乱された光の強度を評価して、前記ペンシルビームの伝達線に沿って高強度の第一領域および第二領域を決定するための手段を含み、前記第一領域と第二領域とは、前記ペンシルビームからの散乱光を実質的に伴わない比較的大きな第三領域により隔てられ、前記第二領域が、前記伝達線に沿って前記ペンシルビーム源からより遠くにあり、前記第二領域が、前記水晶体嚢に対応するように決定される、請求項２０に記載のシステム。
【請求項２２】
前記分析のための手段が、前記眼の前記水晶体嚢と前眼房との間の界面、水晶体後嚢の界面、空気と角膜の界面、角膜と房水の界面、および前記眼の網膜の界面のうちの一つに対応する点として、前記基準点を決定するための手段を含む、請求項１９に記載のシステム。
【請求項２３】
前記分析のための手段が、前記眼の皮質、核上、および核の場所を決定するための手段をさらに含む、請求項１９に記載のシステム。
【請求項２４】
前記基準点に対して前記眼の選択された部分から散乱された光の強度を分析して、前記選択された部分の物質の物理的性質を決定するための手段と、
前記選択された部分の前記物質の前記物理的性質の指示を提供するための手段
をさらに含む、請求項１９に記載のシステム。
【請求項２５】
前記指示を提供するための手段が、前記眼の核上の凝集物の存在の指示を提供するための手段を含む、請求項２４に記載のシステム。
【請求項２６】
前記得られた光から像を形成するための手段と、
前記得るステップの前に、前記ペンシルビームを反射するための手段と、
前記得られた光の特定部分の所望の位置に対して、前記像における前記得られた光の前記特定部分の実際の位置を決定するための手段と、
前記反射を変更させて、前記得られた光の前記特定部分の、前記実際の位置と前記所望の位置との離開を減少させるための手段
をさらに含む、請求項１９に記載のシステム。
【請求項２７】
前記得るための手段が、前記ペンシルビームの伝達方向に対して約９０°でのみ眼により散乱された光を得るための手段を含む、請求項１９に記載のシステム。
【請求項２８】
前記対象の眼に扇状ビーム光を伝達するための手段と、
前記対象の眼により散乱された前記扇状ビームからの光を得るための手段と、
対象の眼により散乱された前記得られた扇状ビーム光から、前記眼の像を形成するための手段と、
前記像の上に、前記像における前記眼の虹彩の大きさおよび場所に近い楕円を重ねるための手段
をさらに含む、請求項１９に記載のシステム。
【請求項２９】
前記重ねるための手段が、コンピュータを含み、前記コンピュータは前記像の光強度の分析を通して自動的に前記重ねを形成する、請求項２８に記載のシステム。
【請求項３０】
前記システムが、デバイスを含み、前記デバイスは、準弾性光散乱法および蛍光リガンド走査法を実行するように構成されている、請求項１９に記載のシステム。
【請求項３１】
蛍光リガンド走査法を実行するための手段が、
前記対象の眼を照射するための手段と、
前記眼の第一蛍光データを測定するための手段と、
前記造影剤を前記眼に導入するための手段と、
前記眼の第二蛍光データを測定するための手段と、
前記第一データと第二データとを比較するための手段
を含む、請求項３０に記載のシステム。
【請求項３２】
対象の眼の画像診断のためのシステムであり、前記システムが、
放射線の誘導放出により光を伝達するように設定された光源と、
前記光源から垂直扇状ビーム光を発生し、前記垂直扇状ビームを左右に線形掃引するように設定された光学走査デバイスと、
前記光学走査デバイスから送られた光を収束して、対象の視線と共面であり、かつ前記対象の眼の一部を通る垂直の断面である虚像平面を作るように設定された第一レンズと、
前記光学走査デバイスから送られ、前記対象の眼により散乱された光を収束して、前記対象の眼の前記虚像平面と一致する輪郭のくっきりした焦点平面を作るように設定された第二レンズと、
前記収束光の少なくとも一部を受け取るように設けられ、前記受け取った光の第一部分を反射するように設定された第一測定反射器と、
前記受け取った光の前記第一部分を受け取るように設定されて設けられ、前記受け取った光の前記第一部分に対応する像の徴候を提供するように設定された第一カメラと、
前記カメラに連結され、前記像の光強度を分析して前記眼の一部の界面に対応する基準点の場所を決定するように設定されたプロセッサ
を含む、システムであり、
前記光学走査デバイスによる前記垂直扇状ビームの左右の前記線形掃引により、前記垂直扇状ビーム光が、前記対象の眼の前記虚像平面に沿って内外に行き来する、
システム。
【請求項３３】
前記基準点が、前記眼の水晶体嚢の界面に対応する、請求項３２に記載のシステム。
【請求項３４】
前記基準点が、前記眼の前記水晶体嚢と前眼房との間の界面に対応する、請求項３３に記載のシステム。
【請求項３５】
前記基準点が、前記眼の水晶体後嚢の界面、空気と角膜の界面、角膜と房水の界面、および網膜の界面のうちの一つに対応する、請求項３２に記載のシステム。
【請求項３６】
前記光源およびプロセッサが、蛍光リガンド走査法を実行するように設定される、請求項３２に記載のシステム。
【請求項３７】
前記光源が、赤外光を伝達するように設定される、請求項３２に記載のシステム。
【請求項３８】
前記対象の眼に入る前記光の経路に対してほぼ９０度でのみ散乱された光が収集および分析されるように設定される、請求項３２に記載のシステム。
【請求項３９】
前記測定反射器が、前記受け取った光の前記第一部分を反射するように設定されたミラーを含み、前記ミラーが、前記受け取った光の第二部分が前記ミラーにより反射されずに通れるように設定された開口部を画定し、前記システムが、前記受け取った光の前記第二部分を受け取り、測定された散乱光強度を経時的に相関させるために、前記反射器に連結された相関器をさらに含む、請求項３８に記載のシステム。
【請求項４０】
前記受け取った光の前記第二部分が、前記基準点に対して前記眼の選択された部分から散乱された光に対応するように、前記プロセッサが前記測定反射器を作動させるように設定され、前記プロセッサが前記相関器に連結され、前記受け取った光の前記第二部分の徴候を分析するように設定される、請求項３９に記載のシステム。
【請求項４１】
前記プロセッサが、前記受け取った光の前記第二部分の前記徴候と、前記受け取った光の前記第二部分を散乱した前記眼の場所とに基づいて、前記対象の医学的状態に関連した物質の存在の指示を提供するように設定される、請求項４０に記載のシステム。
【請求項４２】
前記システムが、前記収束光の少なくとも一部を受け取るように設けられ、前記受け取った光の第二部分を反射するように設定された第二測定反射器をさらに含む、請求項３９に記載のシステム。
【請求項４３】
前記システムが、前記受け取った光の前記第二部分を受け取るように設定されて設けられ、前記受け取った光の前記第二部分に対応する像の徴候を提供するように設定された第二カメラをさらに含む、請求項４２に記載のシステム。
【請求項４４】
前記システムが、前記収束光の少なくとも一部を前記第二測定反射器に反射し、前記収束光の少なくとも一部を前記第一測定反射器に伝達するように設定されて設けられた二色性ビームスプリッタをさらに含む、請求項４３に記載のシステム。
【請求項４５】
前記プロセッサが、前記像の光強度を分析して前記基準点に対する前記眼の領域の場所を決定するように設定される、請求項３２に記載のシステム。
【請求項４６】
前記プロセッサが、前記像の前記光強度を、前記光強度を伴う前記光を散乱した領域に結び付けるように設定される、請求項４５に記載のシステム。
【請求項４７】
前記プロセッサが、前記眼の核上、核、および皮質の場所を決定するように設定される、請求項４５に記載のシステム。
【請求項４８】
前記プロセッサに連結されたディスプレイをさらに含み、前記プロセッサが、前記プロセッサに前記像の中に楕円を表示させるように設定される、請求項３２に記載のシステム。
【請求項４９】
前記プロセッサが、前記像に対して前記楕円の大きさおよび位置を調節するように設定される、請求項４８に記載のシステム。
【請求項５０】
前記プロセッサが、前記像の光強度を分析して、前記眼の虹彩の場所を決定し、前記像の前記虹彩の上に、前記楕円の大きさを決定して配置するように設定される、請求項４９に記載のシステム。
【請求項５１】
前記プロセッサが、前記システムのユーザーからの入力に応じて、前記楕円の前記大きさを調節するように設定される、請求項４９に記載のシステム。
【請求項５２】
対象の眼に蛍光リガンド走査法を実行するためのシステムであり、前記システムが、
前記対象の眼に向かって光を伝達するように設定された光源と、
前記光源から前記対象の眼に向かって送られた光を収束して、前記眼に当たる光の収束点を作るように設定されて設けられた第一顕微鏡対物レンズと、
可動第一レンズに連結され、前記第一顕微鏡対物レンズから送られた前記光の収束点を、前記可動第一レンズを通して、前記対象の眼の中に配置するように設定されたアクチュエータと、
前記光源から送られて前記対象の眼により散乱された光を収束するように設定されたレンズと、
前記受け取った光の第一部分を受け取るように設定されて設けられ、前記受け取った光の前記第一部分に対応する像の徴候を提供するように設定された、光電子増倍管検出器と、
前記光電子増倍管検出器に連結され、前記像の光強度を分析して前記眼の一部の界面に対応する基準点の場所を決定するように設定されたプロセッサと
を含む、システム。
【請求項５３】
前記対象の眼により散乱され、前記光電子増倍管検出器で受け取られる前記光が、前記光源から送られる前記光とほぼ類似の経路に沿って進む、請求項５２に記載のシステム。
【請求項５４】
前記光源に、前記対象の眼に向かって視準ビームとして光を伝達させるために、前記第一顕微鏡対物レンズが除去される、請求項５２に記載のシステム。
【請求項５５】
前記システムが、
前記光源から送られて前記対象の眼により散乱された光を収束するように設定された第二レンズと、
前記第二レンズからの前記受け取った光の第一部分を受け取るように設定されて設けられ、前記受け取った光の前記第一部分に対応する像の徴候を提供するように設定された検出器と
をさらに含み、
前記プロセッサが前記検出器にさらに連結され、前記像の光強度を分析して前記眼の一部の界面に対応する基準点の場所を決定するように設定され、
前記対象の眼により散乱されて前記第二レンズにより収束される前記光が、前記対象の前記視線に対して４５度でありかつ前記光源からの前記光の経路に対して９０度の経路に沿って進む、
請求項５３に記載のシステム。
【請求項５６】
前記システムが、前記第二レンズにより受け取られる前記光の経路に設けられた第一の二色性ビームスプリッタと、前記光源からの前記光の経路に設けられた少なくとも第二の二色性ビームスプリッタとをさらに含み、前記第一の二色性ビームスプリッタおよび少なくとも第二の二色性ビームスプリッタが、検出器に受け取られる光の少なくとも一部を反射するように設定される、請求項５５に記載のシステム。
【請求項５７】
前記システムが、前記光源から前記対象の眼に向かって進む前記光の前記経路内のポイントに設けられた高速シャッタをさらに含む、請求項５２に記載のシステム。
【請求項５８】
前記システムが、心拍数モニタをさらに含み、前記プロセッサが、データ収集を心拍間の休止期間に同期させるように設定される、請求項５２に記載のシステム。
【請求項５９】
前記心拍数モニタが、前記対象の前額レストの一部として設定される、請求項５８に記載のシステム。
【請求項６０】
前記心拍数モニタが、前記対象の顎レストの一部として設定される、請求項５８に記載のシステム。
【請求項６１】
前記システムが、前記対象の心拍を調節するように設定されたペースメーカーをさらに含み、前記プロセッサが、データ収集を心拍間の休止期間に同期させるように設定される、請求項５２に記載のシステム。
【手続補正２】
【補正対象書類名】明細書
【補正対象項目名】００２５
【補正方法】変更
【補正の内容】
【００２５】
本発明はまた、以下の項目を提供する。
（項目１）
対象の眼に準弾性光散乱法を実行するためのシステムであり、上記システムが、
上記対象の眼に向かって光を伝達するように設定された光源と、
上記光源から送られて上記対象の眼により散乱された光を、収束するように設定されたレンズと、
上記収束光の少なくとも一部を受け取るように設けられ、上記受け取った光の第一部分を反射するように設定された測定反射器と、
上記受け取った光の上記第一部分を受け取るように設定されて設けられ、上記受け取った光の上記第一部分に対応する像の徴候を提供するように設定されたカメラと、
上記カメラに連結され、上記像の光強度を分析して、上記眼の一部の界面に対応する基準点の場所を決定するように設定されたプロセッサ
を含む、システム。
（項目２）
上記基準点が、上記眼の水晶体嚢の界面に対応する、項目１に記載のシステム。
（項目３）
上記基準点が、上記眼の上記水晶体嚢と前眼房との間の界面に対応する、項目２に記載のシステム。
（項目４）
上記基準点が、上記眼の水晶体後嚢の界面、空気と角膜の界面、角膜と房水の界面、および網膜の界面のうちの一つに対応する、項目１に記載のシステム。
（項目５）
上記光源およびプロセッサが、蛍光リガンド走査法を実行するように設定される、項目１に記載のシステム。
（項目６）
上記対象の眼に入る上記光の経路に対してほぼ９０度でのみ散乱された光が収集および分析されるように設定される、項目１に記載のシステム。
（項目７）
上記光源が、赤外光を伝達するように設定される、項目１に記載のシステム。
（項目８）
項目７に記載のシステムであって、上記測定反射器が、上記受け取った光の上記第一部分を反射するように設定されたミラーを含み、上記ミラーが、上記受け取った光の第二部分が上記ミラーによって反射されずに通れるように設定された開口部を画定し、上記システムが、上記受け取った光の上記第二部分を受け取り、測定された散乱光強度を経時的に相関させるために、上記反射器に連結された相関器をさらに含む、システム。
（項目９）
上記受け取った光の上記第二部分が、上記基準点に対して上記眼の選択された部分から散乱された光に対応するように、上記プロセッサが上記測定反射器を作動させるように設定され、上記プロセッサが上記相関器に連結され、上記受け取った光の上記第二部分の徴候を分析するように設定される、項目８に記載のシステム。
（項目１０）
上記プロセッサが、上記受け取った光の上記第二部分の上記徴候と、上記受け取った光の上記第二部分を散乱した上記眼の場所とに基づいて、上記対象の医学的状態に関連した物質の存在の指示を提供するように設定される、項目９に記載のシステム。
（項目１１）
上記プロセッサが、上記像の光強度を分析して、上記基準点に対する上記眼の領域の場所を決定するように設定される、項目１に記載のシステム。
（項目１２）
上記プロセッサが、上記像の上記光強度を、上記光強度を伴う上記光を散乱した領域に結び付けるように設定される、項目１１に記載のシステム。
（項目１３）
上記プロセッサが、上記眼の核上、核、および皮質の場所を決定するように設定される、項目１１に記載のシステム。
（項目１４）
上記プロセッサに連結されたディスプレイをさらに含み、上記プロセッサが、上記プロセッサに上記像の中に楕円を表示させるように設定される、項目１に記載のシステム。
（項目１５）
上記プロセッサが、上記像に対して上記楕円の大きさおよび位置を調節するように設定される、項目１４に記載のシステム。
（項目１６）
上記プロセッサが、上記像の光強度を分析して、上記眼の虹彩の場所を決定し、上記像の上記虹彩の上に、上記楕円の大きさを決定して配置するように設定される、項目１５に記載のシステム。
（項目１７）
上記プロセッサが、上記システムのユーザーからの入力に応じて、上記楕円の上記大きさを調節するように設定される、項目１５に記載のシステム。
（項目１８）
上記光源が、ペンシルビーム光および扇状ビーム光を伝達するように設定される、項目１に記載のシステム。
（項目１９）
光散乱診断法であり、
対象の眼にペンシルビーム光を伝達するステップと、
上記対象の眼により散乱された上記ペンシルビームからの光を得るステップと、
上記得られた散乱光を分析して、上記眼の一部の界面に対応する基準点の場所を決定するステップ
を含む、方法。
（項目２０）
上記分析が、上記眼の水晶体嚢の界面に対応する点として上記基準点を決定するステップを含む、項目１９に記載の方法。
（項目２１）
上記分析して上記基準点を決定するステップが、眼により散乱された光の強度を評価して、上記ペンシルビームの伝達線に沿って高強度の第一領域および第二領域を決定するステップを含み、上記第一領域と第二領域とは、上記ペンシルビームからの散乱光を実質的に伴わない比較的大きな第三領域により隔てられ、上記第二領域が、上記伝達線に沿って上記ペンシルビーム源からより遠くにあり、上記第二領域が、上記水晶体嚢に対応するように決定される、項目２０に記載の方法。
（項目２２）
上記分析が、上記眼の上記水晶体嚢と前眼房との間の界面、水晶体後嚢の界面、空気と角膜の界面、角膜と房水の界面、および上記眼の網膜の界面のうちの一つに対応する点として、上記基準点を決定するステップを含む、項目１９に記載の方法。
（項目２３）
上記分析が、上記眼の皮質、核上、および核の場所を決定するステップをさらに含む、項目１９に記載の方法。
（項目２４）
上記基準点に対して上記眼の選択された部分から散乱された光の強度を分析して、上記選択された部分の物質の物理的性質を決定するステップと、
上記選択された部分の上記物質の上記物理的性質の指示を提供するステップ
をさらに含む、項目１９に記載の方法。
（項目２５）
上記指示を提供するステップが、上記眼の核上の凝集物の存在の指示を提供するステップを含む、項目２４に記載の方法。
（項目２６）
上記得られた光から像を形成するステップと、
上記得るステップの前に、上記ペンシルビームを反射するステップと、
上記得られた光の特定部分の所望の位置に対して、上記像における上記得られた光の上記特定部分の実際の位置を決定するステップと、
上記反射を変更させて、上記得られた光の上記特定部分の、上記実際の位置と上記所望の位置との離開を減少させるステップ
をさらに含む、項目１９に記載の方法。
（項目２７）
上記得るステップが、上記ペンシルビームの伝達方向に対して約９０°でのみ眼により散乱された光を得るステップを含む、項目１９に記載の方法。
（項目２８）
上記対象の眼に扇状ビーム光を伝達するステップと、
上記対象の眼により散乱された上記扇状ビームからの光を得るステップと、
対象の眼により散乱された上記得られた扇状ビーム光から、上記眼の像を形成するステップと、
上記像の上に、上記像における上記眼の虹彩の大きさおよび場所に近い楕円を重ねるステップ
をさらに含む、項目１９に記載の方法。
（項目２９）
上記重ねるステップが、コンピュータにより自動的になされ、上記コンピュータによる上記像の光強度の分析を通して上記コンピュータにより形成される、項目２８に記載の方法。
（項目３０）
上記方法が、準弾性光散乱法を含み、デバイスを使用して実行され、上記方法が、同じデバイスを使用して蛍光リガンド走査法を実行するステップをさらに含む、項目１９に記載の方法。
（項目３１）
蛍光リガンド走査法を実行するステップが、
上記対象の眼を照射するステップと、
上記眼に造影剤を導入する前に、上記眼の第一蛍光データを測定するステップと、
上記造影剤を上記眼に導入するステップと、
上記眼に上記造影剤を導入した後に、上記眼の第二蛍光データを測定するステップと、
上記第一データと第二データとを比較するステップ
を含む、項目３０に記載の方法。
（項目３２）
対象の眼の画像診断のためのシステムであり、上記システムが、
放射線の誘導放出により光を伝達するように設定された光源と、
上記光源から垂直扇状ビーム光を発生し、上記垂直扇状ビームを左右に線形掃引するように設定された光学走査デバイスと、
上記光学走査デバイスから送られた光を収束して、対象の視線と共面であり、かつ上記対象の眼の一部を通る垂直の断面である虚像平面を作るように設定された第一レンズと、
上記光学走査デバイスから送られ、上記対象の眼により散乱された光を収束して、上記対象の眼の上記虚像平面と一致する輪郭のくっきりした焦点平面を作るように設定された第二レンズと、
上記収束光の少なくとも一部を受け取るように設けられ、上記受け取った光の第一部分を反射するように設定された第一測定反射器と、
上記受け取った光の上記第一部分を受け取るように設定されて設けられ、上記受け取った光の上記第一部分に対応する像の徴候を提供するように設定された第一カメラと、
上記カメラに連結され、上記像の光強度を分析して上記眼の一部の界面に対応する基準点の場所を決定するように設定されたプロセッサ
を含む、システムであり、
上記光学走査デバイスによる上記垂直扇状ビームの左右の上記線形掃引により、上記垂直扇状ビーム光が、上記対象の眼の上記虚像平面に沿って内外に行き来する、
システム。
（項目３３）
上記基準点が、上記眼の水晶体嚢の界面に対応する、項目３２に記載のシステム。
（項目３４）
上記基準点が、上記眼の上記水晶体嚢と前眼房との間の界面に対応する、項目３３に記載のシステム。
（項目３５）
上記基準点が、上記眼の水晶体後嚢の界面、空気と角膜の界面、角膜と房水の界面、および網膜の界面のうちの一つに対応する、項目３２に記載のシステム。
（項目３６）
上記光源およびプロセッサが、蛍光リガンド走査法を実行するように設定される、項目３２に記載のシステム。
（項目３７）
上記光源が、赤外光を伝達するように設定される、項目３２に記載のシステム。
（項目３８）
上記対象の眼に入る上記光の経路に対してほぼ９０度でのみ散乱された光が収集および分析されるように設定される、項目３２に記載のシステム。
（項目３９）
上記測定反射器が、上記受け取った光の上記第一部分を反射するように設定されたミラーを含み、上記ミラーが、上記受け取った光の第二部分が上記ミラーにより反射されずに通れるように設定された開口部を画定し、上記システムが、上記受け取った光の上記第二部分を受け取り、測定された散乱光強度を経時的に相関させるために、上記反射器に連結された相関器をさらに含む、項目３８に記載のシステム。
（項目４０）
上記受け取った光の上記第二部分が、上記基準点に対して上記眼の選択された部分から散乱された光に対応するように、上記プロセッサが上記測定反射器を作動させるように設定され、上記プロセッサが上記相関器に連結され、上記受け取った光の上記第二部分の徴候を分析するように設定される、項目３９に記載のシステム。
（項目４１）
上記プロセッサが、上記受け取った光の上記第二部分の上記徴候と、上記受け取った光の上記第二部分を散乱した上記眼の場所とに基づいて、上記対象の医学的状態に関連した物質の存在の指示を提供するように設定される、項目４０に記載のシステム。
（項目４２）
上記システムが、上記収束光の少なくとも一部を受け取るように設けられ、上記受け取った光の第二部分を反射するように設定された第二測定反射器をさらに含む、項目３９に記載のシステム。
（項目４３）
上記システムが、上記受け取った光の上記第二部分を受け取るように設定されて設けられ、上記受け取った光の上記第二部分に対応する像の徴候を提供するように設定された第二カメラをさらに含む、項目４２に記載のシステム。
（項目４４）
上記システムが、上記収束光の少なくとも一部を上記第二測定反射器に反射し、上記収束光の少なくとも一部を上記第一測定反射器に伝達するように設定されて設けられた二色性ビームスプリッタをさらに含む、項目４３に記載のシステム。
（項目４５）
上記プロセッサが、上記像の光強度を分析して上記基準点に対する上記眼の領域の場所を決定するように設定される、項目３２に記載のシステム。
（項目４６）
上記プロセッサが、上記像の上記光強度を、上記光強度を伴う上記光を散乱した領域に結び付けるように設定される、項目４５に記載のシステム。
（項目４７）
上記プロセッサが、上記眼の核上、核、および皮質の場所を決定するように設定される、項目４５に記載のシステム。
（項目４８）
上記プロセッサに連結されたディスプレイをさらに含み、上記プロセッサが、上記プロセッサに上記像の中に楕円を表示させるように設定される、項目３２に記載のシステム。
（項目４９）
上記プロセッサが、上記像に対して上記楕円の大きさおよび位置を調節するように設定される、項目４８に記載のシステム。
（項目５０）
上記プロセッサが、上記像の光強度を分析して、上記眼の虹彩の場所を決定し、上記像の上記虹彩の上に、上記楕円の大きさを決定して配置するように設定される、項目４９に記載のシステム。
（項目５１）
上記プロセッサが、上記システムのユーザーからの入力に応じて、上記楕円の上記大きさを調節するように設定される、項目４９に記載のシステム。
（項目５２）
対象の眼に蛍光リガンド走査法を実行するためのシステムであり、上記システムが、
上記対象の眼に向かって光を伝達するように設定された光源と、
上記光源から上記対象の眼に向かって送られた光を収束して、上記眼に当たる光の収束点を作るように設定されて設けられた第一顕微鏡対物レンズと、
可動第一レンズに連結され、上記第一顕微鏡対物レンズから送られた上記光の収束点を、上記可動第一レンズを通して、上記対象の眼の中に配置するように設定されたアクチュエータと、
上記光源から送られて上記対象の眼により散乱された光を収束するように設定されたレンズと、
上記受け取った光の第一部分を受け取るように設定されて設けられ、上記受け取った光の上記第一部分に対応する像の徴候を提供するように設定された、光電子増倍管検出器と、
上記光電子増倍管検出器に連結され、上記像の光強度を分析して上記眼の一部の界面に対応する基準点の場所を決定するように設定されたプロセッサと
を含む、システム。
（項目５３）
上記対象の眼により散乱され、上記光電子増倍管検出器で受け取られる上記光が、上記光源から送られる上記光とほぼ類似の経路に沿って進む、項目５２に記載のシステム。
（項目５４）
上記光源に、上記対象の眼に向かって視準ビームとして光を伝達させるために、上記第一顕微鏡対物レンズが除去される、項目５２に記載のシステム。
（項目５５）
上記システムが、
上記光源から送られて上記対象の眼により散乱された光を収束するように設定された第二レンズと、
上記第二レンズからの上記受け取った光の第一部分を受け取るように設定されて設けられ、上記受け取った光の上記第一部分に対応する像の徴候を提供するように設定された検出器と
をさらに含み、
上記プロセッサが上記検出器にさらに連結され、上記像の光強度を分析して上記眼の一部の界面に対応する基準点の場所を決定するように設定され、
上記対象の眼により散乱されて上記第二レンズにより収束される上記光が、上記対象の上記視線に対して４５度でありかつ上記光源からの上記光の経路に対して９０度の経路に沿って進む、
項目５３に記載のシステム。
（項目５６）
上記システムが、上記第二レンズにより受け取られる上記光の経路に設けられた第一の二色性ビームスプリッタと、上記光源からの上記光の経路に設けられた少なくとも第二の二色性ビームスプリッタとをさらに含み、上記第一の二色性ビームスプリッタおよび少なくとも第二の二色性ビームスプリッタが、検出器に受け取られる光の少なくとも一部を反射するように設定される、項目５５に記載のシステム。
（項目５７）
上記システムが、上記光源から上記対象の眼に向かって進む上記光の上記経路内のポイントに設けられた高速シャッタをさらに含む、項目５２に記載のシステム。
（項目５８）
上記システムが、心拍数モニタをさらに含み、上記プロセッサが、データ収集を心拍間の休止期間に同期させるように設定される、項目５２に記載のシステム。
（項目５９）
上記心拍数モニタが、上記対象の前額レストの一部として設定される、項目５８に記載のシステム。
（項目６０）
上記心拍数モニタが、上記対象の顎レストの一部として設定される、項目５８に記載のシステム。
（項目６１）
上記システムが、上記対象の心拍を調節するように設定されたペースメーカーをさらに含み、上記プロセッサが、データ収集を心拍間の休止期間に同期させるように設定される、項目５２に記載のシステム。
本発明のこれらおよび他の能力は、以下の図面、詳細な記載、および請求項を検討した後で、本発明自体とともに、より完全に理解される。